(57)【要約】  商人の物理的場所にパーソナル化された支払いアプリケーションを提供するシステム及び方法は、支払いアプリケーションを走らせる第１顧客デバイスから第１顧客場所を受信することを含む。第１商人の物理的場所は、そして、第１顧客場所に関連して決定され、応答として、第１商人の物理的場所パーソナル化情報が取得される。第１商人の物理的場所パーソナル化情報は、そして、支払いアプリケーションを用いて、第１顧客デバイス上に提供される少なくとも１つのパーソナル化された商人の物理的場所スクリーン上にユーザインタフェースとして表示されるために提供される。少なくとも１つのパーソナル化された商人の物理的場所スクリーンは、第１顧客に関連した第１顧客アカウントから第１商人の物理的場所に関連した第１商人アカウントへ支払いを行うための支払いアプリケーションプロバイダデバイスへ命令を送信するように構成される。【選択図】図４
2016529621.tif 000002
【特許請求の範囲】
【請求項１】
複数の商人の物理的場所のそれぞれと商人の物理的場所パーソナル化情報と商人アカウントを関連付け、複数の顧客のそれぞれと顧客アカウントとを関連付ける非一時的メモリと、
前記メモリと結合され、ステップを実行するために、前記メモリから命令を読取るように動作可能な１以上のハードウェアプロセッサとを備え、前記ステップは、
支払いアプリケーションプロバイダデバイスによって、支払いアプリケーションを走らせ、前記複数の顧客の第１の顧客と関連付けられる第１の顧客デバイスからネットワークを介して、第１の顧客場所を受信することと、
前記支払いアプリケーションプロバイダデバイスよって、前記第１の顧客場所と関連付けられた第１の商人の物理的場所を判定し、応答として、前記支払いアプリケーションプロバイダデバイスによって、前記非一時的メモリ内の前記第１の商人の物理的場所に関連付けられた第１の商人の物理的場所パーソナル化情報を取得することと、
前記支払いアプリケーションプロバイダによって、ネットワークを介して、前記第１の顧客デバイスに、前記第１の顧客デバイス上の前記支払いアプリケーションに提供される少なくとも１つのパーソナル化された商人の物理的場所スクリーン上のユーザインタフェースとして表示するために、前記第１の商人の物理的場所パーソナル化情報を提供することであって、前記少なくとも１つのパーソナル化された商人の物理的場所スクリーンは、前記非一時的メモリ内の前記第１の顧客に関連付けられた第１の顧客アカウントから、前記非一時的メモリ内の前記第１の商人の物理的場所に関連付けられた第１の商人アカウントへ、支払いを行うために、前記支払いアプリケーションプロバイダデバイスに命令を送信するように構成されることと、
を含むシステム。
【請求項２】
前記１以上のハードウェアプロセッサは、前記ステップを実行するために、前記メモリから命令を読み込むように動作可能であって、前記ステップは、
前記支払いアプリケーションプロバイダデバイスがネットワークを介して、前記第１の商人の物理的場所に関連した第１の商人デバイスから前記第１の商人の物理的場所パーソナル化情報を受信することを含む、請求項１に記載のシステム。
【請求項３】
前記１以上のハードウェアプロセッサは、前記ステップを実行するために、前記メモリから命令を読み込むように動作可能であって、前記ステップは、
前記支払いアプリケーションプロバイダデバイスによってネットワークを介して、前記少なくとも１つのパーソナル化された商人の物理的場所スクリーン上に、顧客特有情報を提供するために、支払いアプリケーションプロバイダデータベースにアクセスするための命令を受信する、ことを含む、請求項１に記載のシステム。
【請求項４】
前記１以上のハードウェアプロセッサは、前記ステップを実行するために、前記メモリから命令を読み込むように動作可能であって、前記ステップは、
前記支払いアプリケーションプロバイダデバイスによって、前記支払いアプリケーションプロバイダデータベースから、前記第１の顧客の顧客特有情報を受信することと、
前記支払いアプリケーションプロバイダデバイスで、ネットワークを介して、前記第１の顧客デバイス上に表示するために、前記少なくとも１つのパーソナル化された商人の物理的場所スクリーン上に、前記第１の顧客の前記顧客特有情報を提供することと、
を含む、請求項３に記載のシステム。
【請求項５】
前記第１の商人の物理的場所パーソナル化情報は、前記非一時的メモリ内の前記第１の商人の物理的場所に関連した第１の商人デバイスから、前記支払いアプリケーションプロバイダデバイスによって受信されるテキストと画像を含む、請求項１に記載のシステム。
【請求項６】
前記第１の商人の物理的場所パーソナル化情報は、前記非一時的メモリ内の前記第１の商人の物理的場所に関連した第１の商人デバイスから、前記支払いアプリケーションプロバイダデバイスによって受信され、前記ネットワークを介して、前記支払いアプリケーションプロバイダデバイスによってアクセス可能なファイルのリンクを含む、請求項１に記載のシステム。
【請求項７】
商人の物理的場所にパーソナル化された支払いアプリケーションを提供する方法であって、
支払いアプリケーションプロバイダデバイスによって、支払いアプリケーションを走らせ、データベースの第１の顧客に関連した、第１の顧客デバイスから、ネットワークを介して、第１の顧客場所を受信することと、
前記支払いアプリケーションプロバイダデバイスによって、前記データベースの前記第１の顧客場所に関連する第１の商人の物理的場所を判定し、応答として、前記支払いアプリケーションプロバイダデバイスによって、前記データベースの前記第１の商人の物理的場所に関連した第１の商人の物理的場所パーソナル化情報を取得することと、
前記支払いアプリケーションプロバイダデバイスによって、ネットワークを介して、前記第１の顧客デバイスに、前記第１の顧客デバイス上の前記支払いアプリケーションに提供される少なくとも１つのパーソナル化された商人の物理的場所スクリーン上にユーザインタフェースとして、表示のために、前記第１の商人の物理的場所パーソナル化物理的場所情報を提供することであって、前記少なくとも１つのパーソナル化された商人の物理的場所スクリーンは、前記データベースの前記第１の顧客に関連した第１の顧客アカウントから、前記データベースの前記第１の商人の物理的場所に関連した第１の商人のアカウントへ支払いを行うために、前記支払いアプリケーションプロバイダデバイスに命令を送信するように構成されていることと、
を含む方法。
【請求項８】
前記支払いアプリケーションプロバイダデバイスによって、前記ネットワークを介して、前記第１の商人の物理的場所に関連した第１の商人デバイスから前記第１の商人の物理的場所パーソナル化情報を受信すること、を更に含む、請求項７に記載の方法。
【請求項９】
前記支払いアプリケーションプロバイダデバイスによって、前記ネットワークを介して、前記少なくとも１つのパーソナル化された商人の物理的場所スクリーン上に顧客特有情報を提供するために、支払いアプリケーションプロバイダデータベースにアクセスするための命令を受信すること、を更に含む、請求項７に記載の方法。
【請求項１０】
前記支払いアプリケーションプロバイダデバイスによって、支払いアプリケーションプロバイダデータベースの前記第１の顧客に関連した顧客特有情報を取得することと、
前記支払いアプリケーションプロバイダデバイスによって、前記ネットワークを介して、前記第１の顧客デバイス上に表示するために、前記少なくとも１つのパーソナル化された商人の物理的場所スクリーン上に、前記第１の顧客の前記顧客特有情報を提供することと、
を更に含む、請求項９に記載の方法。
【請求項１１】
前記第１の商人の物理的場所パーソナル化情報は、前記データベースの前記第１の商人の物理的場所に関連した第１の商人デバイスから前記支払いアプリケーションプロバイダデバイスによって受信されたテキストと画像を含む、請求項７に記載の方法。
【請求項１２】
前記第１の商人の物理的場所パーソナル化情報は、前記データベース内の前記第１の商人の物理的場所に関連した第１の商人デバイスから前記支払いアプリケーションプロバイダデバイスによって受信され、前記ネットワークを介して、前記支払いアプリケーションプロバイダデバイスによってアクセス可能なファイルへのリンクを含む、請求項７に記載の方法。
【請求項１３】
前記支払いアプリケーションプロバイダデバイスによって、前記ネットワークを介して、前記少なくとも１つのパーソナル化された商人の物理的場所スクリーン上に顧客特有情報を提供するために、商人データベースにアクセスするための命令を受信することと、
前記支払いアプリケーションプロバイダデバイスによって、前記ネットワークを介して、前記商人データベースの前記第１の顧客に関連した顧客特有情報を取得することと、
前記支払いアプリケーションプロバイダデバイスで、前記ネットワークを介して、前記第１の顧客デバイス上に表示するために、前記少なくとも１つのパーソナル化された商人の物理的場所スクリーン上に、前記第１の顧客の前記顧客特有情報を提供することと、
を更に含む、請求項７に記載の方法。
【請求項１４】
１以上のプロセッサで実行されたとき、前記１以上のプロセッサに方法を実行させるように適用された複数のマシン読み取り可能な命令を含む非一時的マシン読み取り可能な媒体であって、前記方法は、
支払アプリケーションプロバイダデバイスによって、支払アプリケーションを走らせ、データベースの第１の顧客に関連付けられた第１の顧客デバイスから、ネットワークを介して、第１の顧客場所を受信することと、
前記支払いアプリケーションプロバイダデバイスによって、前記データベースの前記第１の顧客場所に関連付けられた第１の商人の物理的場所を判定し、応答として、前記支払いアプリケーションプロバイダデバイスによって、前記データベースの前記第１の商人の物理的場所に関連した第１の商人の物理的場所パーソナル化情報を取得することと、
前記支払いアプリケーションプロバイダデバイスによって、前記ネットワークを介して、前記第１の顧客デバイスに、前記第１の顧客デバイス上の前記支払いアプリケーションに提供される少なくとも１つのパーソナル化された商人の物理的場所スクリーン上のユーザインタフェースとして表示するために、第１の商人の物理的場所パーソナル化情報を提供することであって、前記少なくとも１つのパーソナル化された商人の物理的場所スクリーンは、前記データベースの前記第１の顧客に関連付けられた第１の顧客アカウントから前記データベースの前記第１の商人の物理的場所に関連付けられた第１の商人のアカウントへ支払いを行うために、前記支払いアプリケーションプロバイダデバイスへ、命令を送信するように構成されていることと、
を含む、非一時的マシン読み取り可能な媒体。
【請求項１５】
前記方法は、
前記支払いアプリケーションプロバイダデバイスによって、前記ネットワークを介して、前記第１の商人の物理的場所に関連した第１の商人デバイスから前記第１の商人の物理的場所パーソナル化情報を受信すること、を更に含む、請求項１４に記載の非一時的マシン読み取り可能な媒体。
【請求項１６】
前記方法は、
前記支払いアプリケーションプロバイダデバイスによって、前記ネットワークを介して、前記少なくとも１つのパーソナル化された商人の物理的場所スクリーン上に、顧客特有情報を提供するために、支払いアプリケーションプロバイダデータベースにアクセスするため命令を受信すること、を更に含む、請求項１４に記載の非一時的マシン読み取り可能な媒体。
【請求項１７】
前記方法は、
前記支払いアプリケーションプロバイダデバイスによって、支払いアプリケーションプロバイダデータベースの前記第１の顧客に関連付けられた顧客特有情報を取得することと、
前記支払いアプリケーションプロバイダデバイスによって、前記ネットワークを介して、前記第１の顧客デバイス上での表示のために、前記少なくとも１つのパーソナル化された商人の物理的場所スクリーン上の前記第１の顧客の前記顧客特有情報を提供することと、
を更に含む、請求項１６に記載の非一時的マシン読み取り可能な媒体。
【請求項１８】
前記第１の商人の物理的場所パーソナル化情報は、前記データベースの前記第１の商人の物理的場所に関連付けられた第１の商人デバイスから、前記支払いアプリケーションプロバイダデバイスによって受信されたテキストと画像を含む、請求項１４に記載の非一時的マシン読み取り可能な媒体。
【請求項１９】
前記第１の商人の物理的場所パーソナル化情報は、前記データベースの前記第１の商人の物理的場所に関連した第１の商人デバイスから前記支払いアプリケーションプロバイダデバイスによって受信され、前記ネットワークを介して、前記支払いアプリケーションプロバイダデバイスによってアクセス可能なファイルへのリンクを含む、請求項１４に記載の非一時的マシン読み取り可能な媒体。
【請求項２０】
前記方法は、
前記支払いアプリケーションプロバイダデバイスによって、前記ネットワークを介して、前記少なくとも１つのパーソナル化された商人の物理的場所スクリーン上の顧客特有情報を提供するために、商人データベースにアクセスするための命令を受信することと、
前記支払いアプリケーションプロバイダデバイスによって、前記ネットワークを介して、前記商人データベースの前記第１の顧客と関連付けられた顧客特有情報を取得することと、
前記支払いアプリケーションプロバイダデバイスによって、前記ネットワークを介して、前記第１の顧客デバイス上に表示するために、前記少なくとも１つのパーソナル化された商人の物理的場所スクリーン上の前記第１の顧客の前記顧客特有情報を提供することと、
を更に含む、請求項１４に記載の非一時的マシン読み取り可能な媒体。
【発明の詳細な説明】
【技術分野】
【０００１】
本発明は、一般に、オンライン及び／あるいはモバイル支払いに関し、より詳細には、任意の複数の商人の物理的場所について、パーソナル化され得るオンライン／モバイル支払いを行うための支払いアプリケーションに関する。
【背景技術】
【０００２】
ますます多くの消費者が、例えば、インターネットなどの電子ネットワークを介して、アイテム及びサービスを購入している。消費者は、日常的に、商人(merchant)及び同様に個人から、製品及びサービスを購入する。トランザクションは、従来の、あるいは、オンラインの商人あるいは小売商及び消費者の間で直接行われ、支払いは、典型的には、クレジットカードあるいは他の金融情報によってなされる。トランザクションは、また、例えば、カリフォルニア州、サンホセのPayPal, Inc.などのオンラインあるいはモバイル支払いサービスプロバイダの支援で行われる。そのような支払いサービスプロバイダは、関係する団体のために、トランザクションをより容易で、より安全にすることが出来る。モバイルデバイスを用いて、ほぼあらゆるところと言う便利さで支払いサービスプロバイダの支援によって購入することは、オンライン及びモバイル購入が非常に急激に成長している一つの主な理由である。
【０００３】
例えば、カリフォルニア州、サンホセのPayPal, Inc.から入手できるPayPalモバイル支払いアプリケーションなどの幾つかの支払いアプリケーションは、顧客に、商人への支払いを、対応する商人の物理的場所においてすることを可能とする。例えば、顧客は、商人の物理的場所に入り、購入する製品及び／あるいはサービスを選択し、選択された製品及び／あるいはサービスのための支払いをするために、モバイルデバイス上の支払いアプリケーションを使うことが出来る。そのようにして、商人への支払いを行う途中で、消費者は、典型的には、支払いアプリケーションを使用する商人を検索し、発見し、支払いスクリーンの受取人セクションにおける商人の名前を含むほかは、消費者が、購入を行う商人と取引するということを示すものを含まない、支払いアプリケーション上の支払いスクリーンが提供される。そのようなモバイル支払いシステムは、商人へのモバイル支払いを行う基本的な能力を提供する一方、その商人からの更なる購入を促進するフィーチャと共に、消費者が、その商人と取引していることを迅速に確認することが出来るようにするいかなる商人特有のフィーチャとを欠いている。
【０００４】
従って、改善されたモバイル支払いシステムへのニーズが存在する。
【図面の簡単な説明】
【０００５】
【図１】商人の物理的場所にパーソナル化された支払いアプリケーションを提供する方法の実施形態を図示するフローチャートである。
【図２】商人の物理的場所パーソナル化情報提供スクリーンの実施形態を図示するスクリーンショットである。
【図３ａ】顧客デバイス上に提供される支払いアプリケーションのホームスクリーンの実施形態を図示するスクリーンショットである。
【図３ｂ】顧客デバイス上に提供される支払いアプリケーションの商人検出スクリーンの実施形態を図示するスクリーンショットである。
【図３ｃ】顧客デバイス上に提供される支払いアプリケーションのパーソナル化された商人の物理的場所スクリーンの実施形態を図示するスクリーンショットである。
【図３ｄ】顧客デバイス上に提供される支払いアプリケーションのパーソナル化された商人支払いスクリーンの実施形態を図示するスクリーンショットである。
【図４】顧客デバイス上に提供される支払いアプリケーションのパーソナル化された商人の物理的場所スクリーンの実施形態を図示するスクリーンショットである。
【図５】ネットワーク化されたシステムの実施形態を図示する模式図である。
【図６】顧客デバイスの実施形態を図示する透視図である。
【図７】コンピュータシステムの実施形態を図示する模式図である。
【図８】支払いアプリケーションプロバイダデバイスの実施形態を図示する模式図である。
【０００６】
本開示の実施形態とその利点は、以下の詳細な説明を参照することによって最も良く理解される。同様な参照番号は、１以上の図に図示された同様な要素を特定するために用いられ、それらの図は、本開示の実施形態を例示する目的であり、それらを限定する目的ではないことは理解されるべきである。
【発明を実施するための形態】
【０００７】
本開示は、顧客が商人の1以上の物理的場所において、支払いアプリケーションを用いるとき、任意の複数の異なる商人についてパーソナル化されることのできる支払いアプリケーションを提供するシステムと方法を提供する。例えば、支払いサービスプロバイダなどのような支払いアプリケーションプロバイダは、支払いアプリケーションプロバイダあるいは、支払いサービスプロバイダが、資金を、顧客の顧客アカウントから商人の商人アカウントへ転送させるように、顧客デバイス上の支払いの詳細を入力し、及び／あるいは確認することによって、商人へ支払いを顧客が行えるようにする支払いアプリケーションを提供することが出来る。支払いアプリケーションプロバイダは、例えば、商人が、商人の物理的場所パーソナル化情報で、変更し、調整し、及び／あるいは、カスタマイズすることができる支払いアプリケーションテンプレートを提供することによって、商人から商人の物理的場所パーソナル化情報を受信することが出来る。支払いアプリケーションプロバイダは、（例えば、顧客が、顧客デバイス上で、支払いアプリケーションを起動するのに応じて、）顧客の顧客デバイスから顧客の場所を受信し、その顧客の場所が、商人の物理的場所パーソナル化情報が提供される商人の物理的場所と一致する場合、支払いアプリケーションプロバイダは、支払いアプリケーション上の1以上のユーザインタフェースの一部として、商人の物理的場所パーソナル化情報を提供することが出来る。そのようなシステム及び方法は、参加する商人が、支払いアプリケーションを「ブランド化する」ことを可能とし、商人特有の支払いアプリケーションの提供を、支払いアプリケーションプロバイダへ押し付ける一方、顧客が、モバイル支払いをするのにより心地よくするように動作することが出来る。
【０００８】
図１を参照すると、商人の物理的場所にパーソナル化された支払いアプリケーションを提供する方法１００が図示される。以下に説明される実施形態において、支払いアプリケーションは、顧客と商人との間に支払いサービスを提供するように動作する、カリフォルニア州、サンホセのPayPal Inc.などの支払いサービスプロバイダによって提供される。例えば、顧客及び商人は、支払いサービスプロバイダに、支払いサービスアカウントでサインアップすることができ、金融口座を支払いサービスアカウントとリンクし、資金が、それらの金融口座間で転送されるようにする（例えば、顧客は、商人からの購入の支払いをするために、顧客のアカウントから商人のアカウントへ資金を転送するために、支払いサービスプロバイダを用いることが出来る）。このように、支払いサービスプロバイダは、顧客を、顧客支払いサービスアカウント及び顧客金融口座に、商人を、商人支払いサービスアカウント及び商人金融口座に、リンクするデータベースを含むことが出来る。更に、支払いアプリケーションは、支払いサービスプロバイダによって、顧客に配布され、顧客が、資金を商人のアカウントへの転送し、支払いを行うように、支払いサービスプロバイダに迅速に、かつ、容易に命令するために、顧客デバイス上の支払いアプリケーションを使用することが出来るようにする。しかし、支払いアプリケーションは、本開示の範囲を外れることなく、金融アカウントプロバイダ、第三者アプリケーションプロバイダ、及び／あるいは、他のシステムプロバイダによって提供されることが出来、説明の明確性のため、支払いアプリケーションの提供者は、以下において、支払いアプリケーションプロバイダと呼ばれる。
【０００９】
方法１００は、ブロック１０２で始まり、商人の物理的場所パーソナル化情報が商人によって受信される。商人パーソナル化支払いアプリケーションシステムにおける商人は、顧客に製品及び／あるいはサービスを販売する商人の物理的場所に関連付けられる。例えば、パーソナル化された支払いアプリケーションシステムにおける各商人は、顧客が入店し、製品及び／あるいはサービスを購入する１以上の「ブリックアンドモルタル」（店舗販売）店を含むことが出来る。しかし、他の例においては、商人の物理的場所は、一時的店舗（例えば、フリーマーケット、ファーマーズマーケット、あるいは、当分野で知られている他の一時的店舗場所）、モバイル店舗（例えば、フードトレイラー）、及び／あるいは、固定の物理的場所を有しない、当分野で知られた他の店舗を含むことが出来る。ブロック１０２において、商人は、ネットワーク（例えば、インターネット)を介して、商人の物理的場所パーソナル化情報を、支払いアプリケーションプロバイダによって動作される支払いアプリケーションプロバイダデバイスに送信するために、商人デバイスを用いることが出来る。
【００１０】
図２を参照すると、商人デバイス２００の実施形態が図示され、商人の物理的場所パーソナル化情報提供スクリーン２０４を表示するディスプレイ２０２を含む。ブロック１０２において、支払いアプリケーションプロバイダは、ネットワークを介して、商人デバイスに、商人の物理的場所パーソナル化情報提供スクリーン２０４を提供するために、支払いアプリケーションプロバイダデバイスを用いることが出来る。以下に説明される商人の物理的場所パーソナル化情報提供スクリーン２０４および、支払いアプリケーションプロバイダによって商人に提供されるそのような他のものは、支払いアプリケーションが、顧客によって（例えば、顧客デバイス上で）、その商人の１以上の商人の物理的場所において用いられるとき、商人が、その支払いアプリケーション上で提供されるだろうユーザインタフェースをカスタマイズすることを可能とする。このように、商人のための、商人の物理的場所パーソナル化情報提供スクリーン２０４は、その商人による、アクセス情報（例えば、ユーザ名、及び、パスコード）の提供を要求することができ、商人の物理的場所パーソナル化情報提供スクリーン２０４を介して受信される任意の商人の物理的場所パーソナル化情報は、その商人の１以上の商人の物理的場所の位置情報（例えば、商人の物理的場所の住所、商人の物理的場所の座標、及び／あるいは、当分野で知られる様々な他の位置情報）と共に、支払いアプリケーションプロバイダによって、データベース内の商人と関連付けられることが出来る。
【００１１】
商人の物理的場所パーソナル化情報提供スクリーン２０４は、以下に説明するように、顧客が、商人の物理的場所において支払いアプリケーションを用いるとき、顧客に提示されるユーザインタフェースの編集可能な画面を提供する支払いアプリケーションユーザインタフェースセクション２０６を含む。図示された実施形態の支払いアプリケーションユーザインタフェース２０６は、背景２０６ａ、テキストセクション２０６ｂ、第１の画像２０６ｃ、第２の画像２０６ｄ、第１のリンク２０６ｅ、第２のリンク２０６ｆ、商人情報ボックス２０６ｇ、第１の顧客情報ボックス２０６ｈ、第２の顧客情報ボックス２０６ｉ、及び、支払いボタン２０６ｊを含む、複数の編集可能なユーザインタフェースフィーチャを含む。実施形態においては、支払いアプリケーションユーザインタフェース２０６の編集可能なユーザインタフェースフィーチャ及び、そのような他の編集可能なフィーチャのそれぞれは、追加されたり、削除されたり、移動されたり、様々な異なる情報にリンクされたり、サイズが変更されたり、フォントが変更されたり、色が変更されたり、及び／あるいは、商人の好みに基づいて、当分野で知られている様々な異なる方法でカスタマイズされることが出来る。更に、図示された実施形態の支払いアプリケーションユーザインタフェース２０６上の編集可能なフィーチャは、提供されることの出来る編集可能なフィーチャのほんの少しの例であり、アニメーション、オーディオ、ビデオ、及び／あるいは、様々な他のユーザインタフェースフィーチャを含む、当分野で知られた様々な他の編集可能なフィーチャが、本開示の範囲に留まりながら、支払いアプリケーションユーザインタフェース２０６に追加するために、商人にとって利用可能である。
【００１２】
一例においては、支払いアプリケーションユーザインタフェー２０６の編集可能なフィーチャは、支払いアプリケーションのユーザインタフェース（あるいは、他のユーザインタフェース）をカスタマイズしたい商人のためのユーザインタフェーステンプレートとして、支払いアプリケーションプロバイダによって提供されることが出来た。他の例では、支払いアプリケーションユーザインタフェース２０６の編集可能なフィーチャは、それぞれ、商人によって選択され、配置されることが出来た（例えば、支払いアプリケーションユーザインタフェース２０６は、生成及び編集のために、及び／あるいは、支払いアプリケーションを用いるために、最小限必要なフィーチャを含む、実質的にブランクな状態で、商人に最初提供される）。ある実施形態においては、ユーザインタフェース「wizard」が提供され、支払いアプリケーションユーザインタフェース２０６上で、編集可能なフィーチャの選択及び配置を介して、商人に指示を与え、あるいは、歩かせる(walks)。
【００１３】
商人の物理的場所パーソナル化情報提供スクリーン２０４は、また、テキストセクション２０６ｂに関連付けられ、テキスト入力ボックス２０８ａ及びテキスト追加ボタン２０８ｂを含む、テキストエディタ２０８を含む。一例では、ユーザは、テキスト入力ボックス２０８ａに、テキスト（例えば、「商人Ａ」）を提供し、そのテキストをテキストセクション２０６ｂに表示させ、テキスト追加ボタン２０８ｂを選択して、支払いアプリケーションユーザインタフェース２０６に他のテキストセクションを追加することが出来る。テキストセクション２０６ｂ（あるいは、他のテキストセクション）内のテキストを編集する他のフィーチャは、フォントエディタ、テキストサイズエディタ、テキスト形状エディタ、テキストアニメーション効果エディタ、支払いアプリケーションユーザインタフェース２０６上のテキストセクション２０６ｂの配置を変更する機能、及び／あるいは、当分野で知られている、様々な他のテキスト編集機能を含むことが出来る。更に、商人によって提供されるテキストが図示されているが、商人ロゴ画像、商人商標画像、商人サービスマーク画像、及び／あるいは、任意の他の商人の識別子は、本開示の範囲内に入るだろう。
【００１４】
商人の物理的場所パーソナル化情報提供スクリーン２０４は、また、リンクセクション２０６ｅ及び２０６ｆに関連付けられ、テキスト及びファイル入力ボックス２１０ａ及び２１０ｂと、リンク追加ボタン２１０ｃを含むリンクエディタ２１０を含む。一例では、ユーザは、テキスト及びファイル入力ボックス２１０ａ及び２１０ｂに、テキストとファイル（例えば、テキスト及びファイル入力ボックス２１０ａ中に「’food’; foodmenu.pdf」及び、テキスト及びファイル入力ボックス２１０ｂ中に「‘drinks’; drinkmenu.pdf」）を提供し、リンクセクション２０６ｅ及び２０６ｆに表示されたそのテキストと共に、それらのファイルへのリンクを有することができ、リンク追加ボタン２１０ｃを選択して、支払いアプリケーションユーザインタフェース２０６に他のリンクセクションを追加することが出来る。リンクセクション２０６ｅ及び２０６ｆ（あるいは、他のリンクセクション）のリンクを編集する他のフィーチャは、リンクフォントエディタ、リンクテキストサイズエディタ、リンクテキスト形状エディタ、リンクテキストアニメーション効果エディタ、支払いアプリケーションユーザインタフェース２０６上のリンクセクション２０６ｅ及び２０６ｆの配置を変更する機能、及び／あるいは、当分野で知られている様々な他のリンク編集機能を含むことが出来る。更に、商人によって提供されるファイルへのリンクが図示されるが、ウェブページあるいは、他の情報提供場所へのリンクは、本開示の範囲内に入るであろう。
【００１５】
商人の物理的場所パーソナル化情報提供スクリーン２０４は、また、イメージセクション２０６ｃ及び２０６ｄに関連付けられ、画像入力ボックス２１２ａ及び２１２ｂと、リンク追加ボタン２１２ｃを含む画像エディタ２１２を含む。一例では、ユーザは、画像入力ボックス２１２ａ及び２１２ｂに画像ファイル（例えば、「food.jpeg」及び「drinks.jpeg」）を提供し、それらの画像ファイルをイメージセクション２０６ｃ及び２０６ｄに表示させることができ、画像追加ボタン２１２ｃを選択し、支払いアプリケーションユーザインタフェース２０６に他のイメージセクションを追加することが出来る。イメージセクション２０６ｃ及び２０６ｄ（あるいは、他のイメージセクション）の画像を編集する他のフィーチャは、画像サイズエディタ、画像詳細エディタ、画像形状エディタ、リンクテキストアニメーション効果エディタ、支払いアプリケーションユーザインタフェース２０６上のイメージセクション２０６ｃ及び２０６ｄの配置変更機能、及び／あるいは、当分野で知られている様々な他の画像編集機能を含むことが出来る。更に、商人によって提供される画像が図示されるが、アニメーション（例えば、gifファイル）、ビデオ、及び／あるいは、他の画像あるいは動画は、本開示の範囲内に入るだろう。
【００１６】
商人の物理的場所パーソナル化情報提供スクリーン２０４は、また、商人情報ボックス２０６ｇに関連付けられ、テキスト及びファイル入力ボックス２１４ａを含む、商人情報エディタ２１４を含む。一例では、ユーザは、テキスト及びファイル入力ボックス２１４ａに、テキストとファイル（例えば、「’TODAY’S SPECIAL’; Dailyspecial.gif」）を提供し、そのテキストとファイルを、商人情報ボックス２０６ｇに表示させることが出来る。商人によって提供されるアニメーション画像ファイル（gifファイル）が図示されるが、他のアニメーション、ビデオ、オーディオ、及び／あるいは、支払いアプリケーションユーザインタフェース上の望ましい商人情報を通信する任意の他の方法は、本開示の範囲内に入るだろう。
【００１７】
商人の物理的場所パーソナル化情報提供スクリーン２０４は、また、第１の顧客情報ボックス２０６ｈに関連付けられ、命令入力２１６ａを含む、第１の顧客情報エディタ２１６を含む。一例では、ユーザは、命令入力２１６ａにリンク（例えば、http://merchanta/customer/previouspurchases）を提供し、そのリンクを介して利用可能な情報（例えば、この実施形態における支払いアプリケーションを使った、顧客の以前の購入）を第１の顧客情報ボックス２０６ｈに表示させることが出来る。一例では、命令入力２１６ａに提供されるリンクあるいは他の情報は、支払いアプリケーションプロバイダデータベース（例えば、支払いアプリケーションプロバイダによって収集されたデータを含むデータベース）にアクセスするために、支払いアプリケーションプロバイダデバイスに命令を提供し、以下に説明するように、顧客が支払いアプリケーションユーザインタフェース２０６を提示されたとき、第１の顧客情報ボックス２０６ｈに、顧客特有の情報（例えば、顧客の以前の購入）を提供することが出来る。
【００１８】
商人の物理的場所パーソナル化情報提供スクリーン２０４は、また、第２の顧客情報ボックス２０６ｉに関連付けられ、命令入力２１８ａを含む、第２の顧客情報エディタ２１８を含む。一例では、ユーザは、命令入力２１８ａにリンク（例えば、http://merchanta/customer/rewards）を提供し、リンクを介して利用可能な情報（例えば、この実施形態における支払いアプリケーションを用いた顧客のための報償／インセンティブ情報）を第２の顧客情報ボックス２０６ｉに表示させることが出来る。一例では、命令入力２１８ａに提供されるリンクあるいは他の情報は、支払いアプリケーションプロバイダデバイスに命令を提供し、商人データベース（例えば、商人によって収集されたデータを含むデータベース）にアクセスし、以下に説明するように、顧客が、支払いアプリケーションユーザインタフェース２０６を提示されたとき、第２の顧客情報ボックス２０６ｉに、顧客特有情報（例えば、顧客のための報償情報）を提供することが出来る。
【００１９】
第１の顧客情報ボックス２０６ｈと第２の顧客情報ボックス２０６ｉに商人の物理的場所パーソナル化情報を提供することは、支払いアプリケーションプロバイダデータベースからの以前の購入と、商人データベースから報償情報とを取得するために、支払いアプリケーションプロバイダデバイスに命令を提供するために用いられるとして、上述したが、顧客情報への広範な様々な変更は、本開示の範囲内に入るであろう。例えば、顧客情報は、支払いアプリケーションプロバイダ及び商人とは異なるデータベースプロバイダから取得することが出来、これらには限定されないが、それは、ソーシャルネットワークプロファイルを提供するソーシャルネットワークプロバイダ（例えば、顧客、及び顧客の友人に対して）、顧客が複数の金融口座からの支払いを追跡可能とする金融追跡アプリケーションプロバイダ、顧客に金融口座を提供する金融口座プロバイダ、顧客にインターネットブラウザを提供するインターネットブラウザアプリケーションプロバイダ、及び／あるいは、当分野で知られている様々な他のデータベースプロバイダを含む。更に、支払いアプリケーションプロバイダは、ソーシャルネットワークプロファイルの詳細、購入履歴、閲覧履歴、金融履歴、及び／あるいは、当分野で知られている様々な他の顧客情報などの顧客情報を解析するように構成されている製品推薦エンジン（あるいは、製品推薦エンジンにアクセスを有する）を含むことができ、以下に更に説明するように、商人の物理的場所において、商人によってオファーされる製品の製品推薦を行うことが出来る。
【００２０】
商人の物理的場所パーソナル化情報提供スクリーン２０４を介して、商人の物理的場所パーソナル化情報を提供することが図示され、説明されたが、商人の物理的場所パーソナル化情報を提供する他のシステム及び方法は、本開示の範囲内に入るだろう。例えば、商人は、支払いアプリケーションプロバイダデバイスに、ネットワークを介して、ＸＭＬ（Extensible Markup Language）ファイルを提供するために、商人デバイス２００を用いることができ、そのＸＭＬファイルは、ブロック１０２において、支払いアプリケーションプロバイダデバイスによって受信される任意の、あるいは、すべての商人の物理的場所パーソナル化情報を含むことが出来る。他の例においては、商人は、支払いアプリケーションプロバイダによって提供されるアプリケーションプログラミングインタフェースを用い、ブロック１０２において、支払いアプリケーションプロバイダデバイスによって受信される、任意の、あるいは、すべての商人の物理的場所パーソナル化情報を提供することが出来る。
【００２１】
従って、商人は、商人の物理的場所パーソナル化情報提供スクリーン２０４及び／あるいは、そのような他のスクリーンを用いて、支払いアプリケーションプロバイダデバイスへ、ネットワークを介して、様々な商人の物理的場所パーソナル化情報を提供するために、商人デバイス２００を用いることが出来る。商人の物理的場所において支払いアプリケーションを使って顧客へ提供されるだろう支払いアプリケーションのユーザインタフェースのパーソナル化は、背景２０６ａの選択；ユーザインタフェースの色あるいは色スキームの選択；ユーザインタフェースのレイアウトの提供；ユーザインタフェース上のアイコンの選択；ユーザインタフェース上のボタン入力の選択；ユーザインタフェース上のアニメーションの選択；ユーザインタフェースでアクセスされるファイルあるいはリンクの提供；ユーザインタフェース上に提供されるオーディオの選択；ユーザインタフェース上に提供されるビデオの選択；及び／あるいは、当分野において知られる様々な他のユーザインタフェース情報を含むことが出来る。このように、方法１００のブロック１０２に続いて、支払いアプリケーションプロバイダデバイスは、データベース内で、複数の商人の物理的場所パーソナル化情報を、それを提供した商人の１以上の商人の物理的場所に関連付けることができ、その商人の物理的場所パーソナル化情報は、その商人にパーソナル化され、その商人の物理的場所において支払いアプリケーションを用いる顧客によってアクセスされる、１以上のユーザインタフェース、スクリーン、ページ、及び／あるいは、支払いアプリケーションの他の要素を提供するために、用いられることが出来る。
【００２２】
方法１００は、そして、ブロック１０４に進み、顧客の場所が、顧客から受信され、関連付けられた物理的場所が判定される。更に以下に詳しく説明するように、商人のパーソナル化された支払いアプリケーションシステムの顧客は、支払いアプリケーションを含み、ネットワーク（例えば、インターネット）を介して、支払いアプリケーションプロバイダデバイスに顧客の場所を提供するように構成された、例えば、携帯電話などの顧客デバイスを含む。例えば、顧客デバイスは、ネットワークを介して、支払いアプリケーションプロバイダデバイスに送信される、顧客の現在位置（すなわち、顧客場所）を決定するように動作可能なGPS（Global Positioning System）などの位置決定デバイスを含むことが出来る。他の例では、顧客デバイスは、顧客が、商人の物理的場所に「チェックイン」可能とするアプリケーション（例えば、ニューヨーク州、ニューヨーク市のFoursquare Labs, Inc.から入手可能なFoursquareアプリケーション）を含むことができ、顧客場所は、そのアプリケーションあるいはアプリケーションプロバイダと、支払いアプリケーションプロバイダデバイスとの間で共有されることが出来る。他の例では、顧客は、ブロック１０４において、商人名、商人の住所、あるいは、支払いアプリケーションの商人の物理的場所についての他の識別情報を提供することが出来る。
【００２３】
他の例においては、商人の物理的場所は、例えば、Bluetooth（登録商標）技術ビーコン、Bluetooth（登録商標）低エネルギー（BLE）技術ビーコン、及び／あるいは、当分野で知られている様々な他のビーコンなどのビーコンを含むことが出来る。顧客が商人の物理的場所に入ると、ビーコンと顧客デバイスとの間の通信は、顧客場所が、商人の物理的場所と関連付けられていることを判定する結果となる。更に、商人の物理的場所は、商人の物理的場所内の異なる領域での複数のローカルビーコンを含むことができ、以下に説明するその商人の物理的場所パーソナル化情報は、商人の物理的場所のどのビーコンと、顧客デバイスが通信しているかに依存して異なるように出来る。このように、以下に説明する支払いアプリケーションは、商人の物理的場所のどの領域に顧客がいるかに依存して、商人の物理的場所内で、様々にパーソナル化されることが出来る。例えば、商人は、商人の物理的場所内で、食料と製品の両方を販売することができ、顧客デバイス上の支払いアプリケーションは、食料が販売されている商人の物理的場所内の領域に顧客がいるとき、商人によって販売される食料にパーソナル化されることができ、製品が販売されている商人の物理的場所内の領域に顧客がいるとき、商人によって販売される製品にパーソナル化されることができる。幾つかの例を提供したが、本開示を有する当業者は、広範な様々の顧客場所提供システムが本開示の範囲に入るだろうことを認識するだろう。
【００２４】
図３ａ及び３ｂを参照すると、顧客デバイス３００の実施形態が図示されている。顧客デバイス３００は、ディスプレイ３０２と、例えば、カリフォルニア州、サンホセのPayPal, Inc.から入手可能なPayPalモバイル支払いアプリケーションなどの支払いアプリケーションとを含む。図３ａに図示された実施形態において、顧客デバイス３００上の支払いアプリケーションは、支払いアプリケーションホームスクリーン３０４を提供するために起動された。例えば、支払いアプリケーションは、顧客によって（例えば、顧客が顧客デバイス３００上に表示されたホームスクリーン上の支払いアプリケーションアイコンを選択することに応答して）、自動的に、（例えば、顧客が商人の物理的場所に入ることに応答して、顧客が商人の物理的場所において商人とトランザクションを開始し、商人デバイスと、支払いアプリケーションを自動的に起動させる顧客デバイス３００との間の通信を行うことに応答して、など）、及び／あるいは、当分野で知られている、様々な他のアプリケーションの起動シナリオに従って、起動されることが出来る。
【００２５】
図示された実施形態においては、ホームスクリーン３０４は、顧客の画像３０６、アカウントバランス３０８（例えば、支払いサービスプロバイダによって提供される支払いアカウントに対し）、及び、利用可能なバランス３１０（例えば、支払いを行うために使用できるアカウントバランス３０８から利用可能な金額）を含む、ユーザアカウントについての情報を提供する。ホームスクリーン３０４は、また、顧客の複数の最近の購入活動３１２ａ、３１２ｂ、３１２ｃ及び３１２ｄを含む最近の活動セクション３１２を含む。例えば、最近の購入活動３１２ａは、２０１３年７月１７日に清算された、＄５５．００の商人Ａからの購入についての詳細を含む。同様に、他の最近の購入活動３１２ｂ、３１２ｃ、及び３１２ｄは、同様な詳細及び機能を含み、最近の活動セクション３１２は、顧客が、支払いアプリケーションを用いて行った任意の他の購入を見る、あるいは、更なる詳細ボタン３１２ｅを選択することによって、最近の活動についての更なる詳細を見るために、最近の購入活動（例えば、「スワイプ」などのタッチ動作を実行することによって）を介して、スクロール可能とすることが出来る。ホームスクリーン３０４は、また、図示された実施形態においては、アカウントボタン３１４、送信ボタン３１６、リクエストボタン３１８、及びローカルボタン３２０を含む、複数の支払いアプリケーション機能ボタンを含む。例えば、アカウントボタン３１４の選択は、ユーザアカウントについての情報を提供するホームスクリーン３０４を開き；送信ボタン３１６の選択は、顧客が支払いアプリケーションを用いて金銭を送信可能とする金銭送信スクリーン（不図示）を開き；リクエストボタン３１８の選択は、顧客が支払いアプリケーションを用いて金銭のリクエストを可能とする金銭リクエストスクリーン（不図示）を開き；ローカルボタン３２０の選択は、顧客が支払いを行うために、ローカルな商人を選択可能とする商人検出スクリーン（以下に説明する）を開くことが出来る。
【００２６】
図３ｂを参照すると、支払いアプリケーションのホームスクリーン３０４上のローカルボタン３２０は、支払いアプリケーションが、顧客デバイス３００のディスプレイ３０２上に商人検出スクリーン３２２を提供するように、選択された。商人検出スクリーン３２２は、例えば、図示された実施形態においては、検出された商人３２４ａ、３２４ｂ、３２４ｃ、３２４ｄ及び３２４ｅなどの複数の検出された商人を含む、検出された商人セクション３２４を含む。検出された商人３２４ａ〜ｅのそれぞれは、検出された商人３２４ａについて、商人Ａが検出され、顧客の現在位置から０．１マイルであり、コングレス通り６００番地にいるなどの、その検出された商人についての情報を含む。図３ｂに見られるように、検出された商人３２４ｂ、３２４ｃ、３２４ｄ、及び３２４ｅのそれぞれは、同様な情報を含み、検出された商人３２４ａ〜ｅの任意のものは、以下に更に詳しく説明するが、１以上のパーソナル化された商人の物理的場所スクリーンが提供されるように選択されることが可能である。更に、検索ボタン３２６は、顧客が、商人／商人の物理的場所が検出された商人セクション３２４に提供されないならば、その商人／商人の物理的場所を検索可能とすることが出来る。
【００２７】
従って、図示された実施形態においては、ブロック１０４において、顧客デバイス３００は、位置決定デバイスを用いて、その現在位置（つまり、顧客場所）を決定し、その位置を、ネットワークを介して、支払いアプリケーションプロバイダデバイスに送信した。応答において、支払いアプリケーションプロバイダデバイスは、顧客場所を用いて、データベースで、その現在の場所に関連した１以上の商人の物理的場所を決定し（例えば、その顧客場所における商人の物理的場所、その商人の物理的場所の予め決められた距離内の商人の物理的場所など）、及び、それらの商人の物理的場所を、検出された商人３２４ａ〜ｅとして、商人検出スクリーン３２２上に提供した。
【００２８】
しかし、他の実施形態においては、顧客は、上述したように、支払いアプリケーションを起動し、支払いアプリケーションの起動に応答して、顧客デバイスは、自動的に、顧客場所を支払いアプリケーションプロバイダデバイスに送信することが出来る。顧客場所を受信するのに応答して、システムプロバイダは、商人の物理的場所がその顧客の場所（その顧客場所における商人の物理的場所、その顧客場所に最も近い商人の物理的場所など）に対応することを判定することができ、自動的に、以下に説明するパーソナル化された商人の物理的場所スクリーンを提供することが出来る。他の例においては、顧客デバイス３００は、周期的に、顧客からのいずれの入力なしに、支払いアプリケーションプロバイダデバイスに顧客場所を送信することが出来、その顧客場所は、対応する商人の物理的場所を判定するために、支払いアプリケーションプロバイダによって用いられることが出来る。いくつかの例が、提供されたが、本開示を有する当業者は、顧客場所は、支払いアプリケーションプロバイダデバイスに提供されることができ、その、商人の物理的場所との対応は、本開示の範囲内に留まりつつ、様々な方法で決定されることが出来ることを認識するだろう。
【００２９】
方法１００は、そして、ブロック１０６に進み、商人の物理的場所の商人の物理的場所パーソナル化情報を取得する。最初に、図３ｂに図示されている実施形態を参照すると、顧客は、商人検出スクリーン３２２上の検出商人セクション３２４の検出された商人３２４ａを選択し、商人Ａによって以前に提供された（例えば、方法１００のブロック１０２によって）、商人の物理的場所パーソナル化情報を取得するために、支払いアプリケーションプロバイダデバイスにネットワークを介して命令を送信し、１以上のパーソナル化された商人の物理的場所スクリーンを提供するために、その商人の物理的場所パーソナル化情報を用いることが出来る。他の実施形態においては、顧客場所（例えば、顧客が支払いアプリケーションを起動したことに応答して顧客デバイスから送信された、商人の物理的場所に入ったことに応答して自動的に、顧客デバイスから送信された）を受信したことに応答して、支払いアプリケーションプロバイダデバイスは、自動的に、対応する商人の物理的場所を決定し、（例えば、方法１００のブロック１０２によって）その商人の物理的場所において商人によって以前に提供された商人の物理的場所パーソナル化情報を取得し、１以上のパーソナル化された商人の物理的場所スクリーンを提供するために、その商人の物理的場所パーソナル化情報を用いることが出来る。
【００３０】
図１、３ｃ、及び３ｄを参照すると、方法１００は、そして、ブロック１０８に進み、商人の物理的場所パーソナル化情報が、支払いアプリケーションユーザインタフェースとして適用される。以下により詳細に説明するように、支払いアプリケーションプロバイダデバイスは、ブロック１０６において、取得される商人の物理的場所パーソナル化情報を用いて、１以上のパーソナル化された商人の物理的場所スクリーンとして、支払いアプリケーションにユーザインタフェースを提供することが出来る。それらのパーソナル化された商人の物理的場所スクリーンは、商人の物理的場所における商人にパーソナル化された仕方で、顧客デバイス上に表示するために、支払いアプリケーションを提供し、顧客が、支払いアプリケーションプロバイダあるいは、支払いアプリケーションを提供する他の団体ではなく、商人自身から来たように見える商人の「ブランド化された」支払いアプリケーションが提示されるようにする。
【００３１】
図３ｃを最初に参照すると、顧客デバイス３００が図示され、ブロック１０６において取得される商人の物理的場所パーソナル化情報を含み、支払いアプリケーション上でユーザインタフェースとして提供されるパーソナル化された商人の物理的場所スクリーン３２８を提供する。実施形態において、パーソナル化された商人の物理的場所スクリーン３２８は、顧客が、図３ｂに図示される商人検出スクリーン３２２上の検出された商人３２４ａを選択することに応答して、顧客デバイス３００に、ネットワークを介して、支払いアプリケーションプロバイダデバイスによって提供された。他の実施形態においては、パーソナル化された商人の物理的場所スクリーン３２８は、顧客が、商人Ａに関連付けられた商人の物理的場所で、支払いアプリケーションを起動したことに応答して、あるいは、顧客が、商人Ａに関連付けられた商人の物理的場所に入ったことに応答して、自動的に、顧客デバイス３００へ、ネットワークを介して、支払いアプリケーションプロバイダデバイスによって提供された。
【００３２】
パーソナル化された商人の物理的場所スクリーン３２８は、ブロック１０２において、商人によって、商人の物理的場所パーソナル化情報として、提供され、及び／あるいは、選択された背景３３０を含む。パーソナル化された商人の物理的場所スクリーン３２８は、また、ブロック１０２において、商人によって、商人の物理的場所パーソナル化情報として、提供され、及び／あるいは、選択され、図示の実施形態において、商人Ａを特定する商人識別テキスト３３２を含む。商人識別テキスト３３２のみが図示されているが、商人Ａは、商人ロゴ、商標、アニメーション、及び／あるいは、当分野で知られている他の商人識別子を提供し、及び／あるいは、選択した。パーソナル化された商人の物理的場所スクリーン３２８は、また、ブロック１０２において商人によって商人の物理的場所パーソナル化情報として、提供され、及び／あるいは、選択され、図示された実施形態においては、商人の物理的場所において、商人により、料理の画像と、販売のために提供された料理のメニューを含むウェブページあるいはファイルを取得するために顧客が選択することが出来る、商人Ａの料理メニューへのリンクとを含む、料理画像３３４ａ及び料理メニューリンク３３４ｂを含む。同様に、パーソナル化された商人の物理的場所スクリーン３２８は、また、ブロック１０２で商人によって、商人の物理的場所パーソナル化情報として提供され、及び／あるいは、選択され、図示された実施形態においては、商人の物理的場所において、商人Ａによる販売のために提供される飲料のメニューを含むウェブページあるいはファイルを取得するために顧客が選択することが出来る、飲料の画像及び、商人Ａの飲料メニューへのリンクを含む、飲料画像３３６ａ及び飲料メニューリンク３３６ｂを含む。
【００３３】
パーソナル化された商人の物理的場所スクリーン３２８は、また、ブロック１０２で商人によって、商人の物理的場所パーソナル化情報として提供され、及び／あるいは選択され、図示された実施形態においては、販売されるアイテムの説明と共に、物理的場所において商人によって販売されるアイテムのアニメーション画像（例えば、gifファイル）を含む、商人スペシャルセクション３３８を含む。パーソナル化された商人の物理的場所スクリーン３２８は、また、ブロック１０２で商人によって、商人の物理的場所パーソナル化情報として提供され、及び／あるいは選択され、図示された実施形態においては、商人の物理的場所に関連付けられた商人からの、顧客デバイスに関連付けられた顧客による複数の以前の購入を含む、第１の顧客情報セクション３４０を含む。一例では、第１の顧客情報セクション３４０は、データベースからの購入履歴を取得し（例えば、支払いサービスプロバイダが、支払いサービスプロバイダデータベースから顧客の購入履歴を取得する）、商人の物理的場所に関連付けられた商人からの購入のその支払い履歴をフィルタリングし、及び、それらの購入を第１の顧客情報セクション３４０に提供する支払いアプリケーションプロバイダデバイスによって提供されることが出来る。
【００３４】
パーソナル化された商人の物理的場所スクリーン３２８は、また、ブロック１０２で商人によって、商人の物理的場所パーソナル化情報として提供され、及び／あるいは、選択され、図示された実施形態においては、商人の物理的場所に関連付けられた商人からの、顧客デバイスに関連付けられた顧客によって獲得された１以上の報償を含む、第２の顧客情報セクション３４２を含む。一例では、第２の顧客情報セクション３４２は、データベースから報償の詳細を取得し（例えば、支払いサービスプロバイダが、商人データベースから顧客の報償の詳細を取得する）、第２の顧客情報セクション３４２で、それらの報償の詳細を提供する支払いアプリケーションプロバイダデバイスによって提供されることが出来る。図示された実施形態においては、第２の顧客情報セクション３４２は、顧客が、獲得した報償を償還するために選択することができる、償還ボタン３４２ａを含む。
【００３５】
顧客情報の幾つかの例が提供されたが、様々な他の種類の顧客情報が、本開示の範囲に入る、パーソナル化された商人の物理的場所スクリーン３２８上に提供されることが出来る。上述したように、実施形態においては、商人及び／あるいは、支払いアプリケーションプロバイダは、例えば、顧客の購入履歴（例えば、第１の顧客情報３４０に詳細があるように）を調べ、顧客に推薦するために、商人から利用可能な１以上の製品を決定するように構成される推薦エンジン（あるいは、推薦にアクセスを有する）を含むことが出来る。特定の例においては、購入履歴は、顧客が良く、毎週火曜日の昼食に、（例えば、商人Ａ及び／あるいは、他の同様な商人から）チーズバーガー、ポテトフライ、及び、コーク（登録商標）を購入することを示し、火曜日に、商人Ａの商人の物理的場所において、支払いアプリケーションが使用されたことに応答して、パーソナル化された商人の物理的場所スクリーン３２８は、顧客が、チーズバーガーと、ポテトフライ、及び、コーク（登録商標）を商人Ａから購入することを推薦する顧客情報を含むことが出来る。ある状況においては、商人Ａは、顧客によるその購入の更なるインセンティブを与えるために、チーズバーガー、ポテトフライ、及び、コーク（登録商標）について、顧客にディスカウントを提供するための、支払いアプリケーションプロバイダによる推薦が行われることが出来る。他の例においては、顧客の購入履歴は、好みの（例えば、最も購入される）食事、飲料、前菜、あるいは、他の製品を示すことができ、パーソナル化された商人の物理的場所スクリーン３２８は、顧客への推薦として、商人Ａによって提供される、それら、あるいは、同様の製品を含むことが出来る。
【００３６】
パーソナル化された商人の物理的場所スクリーン３２８は、また、ブロック１０２で商人により、商人の物理的場所パーソナル化情報として、提供され、及び／あるいは、選択され、あるいは、支払いアプリケーションによって自動的に提供される支払いボタン３４４を含む（例えば、商人によって、色、使用アイコン、ユーザインタフェースの場所について、及び／あるいは、支払いボタン３４４の任意の他のフィーチャについて、カスタマイズ可能である）。図示の実施形態においては、パーソナル化された商人の物理的場所スクリーン３２８は、顧客によって、例えば、ホームスクリーン３０４、商人検出スクリーン３２２、及び／あるいは、支払いアプリケーションによって提供される任意の他のスクリーンに戻るために選択されることが出来る戻りボタン３４８と共に、支払いアプリケーションインジケータ３４６を含む。しかし、ある実施形態においては、支払いアプリケーションインジケータ３４６及び／あるいは、戻りボタン３４８は、パーソナル化された商人の物理的場所スクリーン３２８から省略されることができ、パーソナル化された商人の物理的場所スクリーン３２８が、支払いアプリケーションプロバイダによって提供されていることを示すものがなく、むしろ、パーソナル化された商人の物理的場所スクリーン３２８は、商人の物理的場所に関連した商人によって提供されているように見えるようにすることが出来る。
【００３７】
図３ｄを参照すると、顧客デバイス３００が図示され、ブロック１０６で取得された商人の物理的場所パーソナル化情報を含み、支払いアプリケーション上にユーザインタフェースとして提供される、パーソナル化された商人の物理的場所スクリーン３５０が提供される。実施形態においては、パーソナル化された商人の物理的場所スクリーン３５０は、顧客が図３ｃに図示されるパーソナル化された商人の物理的場所スクリーン３２８上の支払いボタン３４４を選択することに応答して、顧客デバイス３００に、ネットワークを介して、支払いアプリケーションプロバイダデバイスによって提供された。例えば、パーソナル化された商人の物理的場所スクリーン３２８が提示された後、ユーザは、商人から購入する幾つかのアイテムを選択することが出来る。ある実施形態においては、それらのアイテムは、料理メニューリンク３３４ｂ及び飲料メニューリンク３３６ｂを介してパーソナル化された商人の物理的場所スクリーン３２８上に提供されるメニューを用いて選択されることが出来る（すなわち、顧客は、顧客デバイス３００を介してオーダすることが出来る）。他の実施形態においては、顧客は、商人からオーダすることができ、商人は、商人デバイスにそのオーダを入力することができ、支払いボタン３４４の選択は、顧客デバイスに、以下に説明するパーソナル化された商人の物理的場所スクリーン３５０上に表示されるオーダの詳細を取得するために、その商人デバイスと通信させることが出来る。
【００３８】
他の実施形態においては、パーソナル化された商人の物理的場所スクリーン３５０は、顧客が、商人Ａに関連付けられた商人の物理的場所の支払いアプリケーションを起動し、続いて、商人に対して顧客によってオーダされたことに応答して、顧客デバイス３００に、ネットワークを介して、支払いアプリケーションプロバイダデバイスによって提供されている。同様に、上述したように、顧客は、商人からオーダし、商人は、商人デバイスにそのオーダを入力することができ、支払いアプリケーションを続いて起動することは、顧客デバイスに、以下に説明するように、オーダの詳細を取得するために、その商人デバイスと通信させることができる。ある実施形態においては、商人デバイスは、顧客から顧客オーダを受信するのに続いて、顧客デバイス３００と通信することができ、その通信は、支払いアプリケーションに、顧客デバイス３００上で自動的に起動させ、パーソナル化された商人の物理的場所スクリーン３５０を提供させることが出来る。
【００３９】
パーソナル化された商人の物理的場所スクリーン３５０は、背景３３０と、上述した商人識別テキスト３３２を含み、それは、ブロック１０２において、商人によって、商人の物理的場所パーソナル化情報として提供され、及び／あるいは選択されることが出来る。パーソナル化された商人の物理的場所スクリーン３５０は、また、上述した、支払いアプリケーションインジケータ３４６と、戻りボタン３４８を含み、それらの一方、あるいは、両方は、上述もしたように、ある実施形態においては、省略されることが出来る。
【００４０】
パーソナル化された商人の物理的場所スクリーン３５０は、また、図示された実施形態においては、商人からの購入のために、商人の物理的場所において顧客によって選択された複数のアイテムを含む、請求書セクション３５２を含む。複数のアイテムは、顧客により選択された第１のアイテムを詳細に示し、ブロック１０２で、商人により商人の物理的場所パーソナル化情報として提供され、及び／あるいは、選択された情報を含み、図示された実施形態においては、アイテムの画像、アイテムのテキスト説明文、及び、アイテムの値段を含む、第１のアイテムセクション３５２ａを含む。ある実施形態においては、第１のアイテムセクション３５２ａの情報のいくつか、あるいは、すべては、ブロック１０２において商人によって提供されるメニューから、支払いアプリケーションプロバイダデバイスによって取得されることが出来る。更に、図示された実施形態においては、第１のアイテムセクション３５２ａは、販売アイテム（例えば、パーソナル化された商人の物理的場所スクリーン３２８上の商人スペシャルセクション３３８に含まれるアイテム）の詳細を示し、支払いアプリケーションプロバイダデバイスは、そのアイテムをスペシャルにするか、あるいは、価格を削減するかに基づいて、アイテムの価格を調整することが出来る。
【００４１】
複数のアイテムは、顧客によって選択された第２のアイテムの詳細を示し、ブロック１０２で商人により、商人の物理的場所パーソナル化情報として、提供され、及び／あるいは、選択された情報を含み、図示された実施形態において、アイテムの画像、アイテムのテキスト説明文、及び、アイテムの価格を含む、第２のアイテムセクション３５２ｂを含む。ある実施形態においては、第２のアイテムセクション３５２ｂの情報の幾つか、あるいは、すべては、ブロック１０２で、商人によって提供されるメニューから、支払いアプリケーションプロバイダデバイスによって取得されることが出来る。更に、図示された実施形態においては、第２のアイテムセクション３５２ｂは、顧客報償に関連したアイテムの詳細を示し、支払いアプリケーションプロバイダデバイスは、報償が使用されたことを示すもの提供する一方、その報償に基づいて、アイテムの価格を調整することが出来る。複数のアイテムは、顧客によって選択された第３のアイテムの詳細を示し、ブロック１０２において、商人によって、商人の物理的場所パーソナル化情報として提供され、及び／あるいは、選択された情報を含み、図示された実施形態においては、アイテムの画像、アイテムのテキスト説明文、及び、アイテムの価格を含む、第３のアイテムセクション３５２ｃを含む。ある実施形態においては、第３のアイテムセクション３５２ｃの情報の幾つか、あるいは、すべては、ブロック１０２において、商人によって提供されたメニューから、支払いアプリケーションプロバイダデバイスによって取得されることが出来る。
【００４２】
請求書セクション３５２は、また、アイテムの価格の小計、購入の税額、顧客がチップ金額を提供することが出来るチップ入力ボックス、及び、顧客への支払い総額を含み、支払いアプリケーションを使って、支払い金額を顧客の金融口座から商人の金融口座へ転送することが出来る購入金額セクション３５２ｄを含む。パーソナル化された商人の物理的場所スクリーン３５０は、また、顧客の金融口座から商人の金融口座へ支払いをするために、（例えば、ネットワークを介して）支払いアプリケーションプロバイダデバイスへ、命令を送信するために顧客が選択することが出来る支払いボタン３５４を含む。
【００４３】
従って、図３ｃ及び３ｄに図示された実施形態において、レストラン商人（例えば、商人Ａ）は、顧客がレストラン商人のレストランに入り、レストラン商人に支払いをするために支払いアプリケーションを用いるとき、支払いアプリケーションプロバイダによって顧客へ提供される支払いアプリケーションのパーソナル化を可能とする複数の商人の物理的場所パーソナル化情報を支払いアプリケーションプロバイダに提供していた。例においては、レストラン商人は、支払いアプリケーションをカスタマイズして、商人の物理的場所にいて、それを使うその顧客が、レストラン商人のロゴ、カスタマイズされた背景、料理及び飲料のメニュー、デイリースペシャル、商人からの顧客による以前の購入の詳細、及び、商人から顧客によって獲得された報償を提示される。しかし、そのようなパーソナル化は、広範な様々な商人に拡張することができ、その一例が以下に提供される。
【００４４】
図４を参照すると、顧客デバイス３００が図示されているが、パーソナル化された商人の物理的場所スクリーン３２８及び３５０を生成するために使用された商人の物理的場所パーソナル化情報を提供した商人とは異なる商人（例えば、商人Ｂ）から提供された商人の物理的場所パーソナル化情報を含む、ディスプレイ３０２上のパーソナル化された商人の物理的場所スクリーン４００が提供される。図示された実施形態において、商人Ｂは、被服商人であり、一例では、顧客は、商人Ａで食事をし、図３ｃ及び３ｄを参照して上述したように、支払いアプリケーションを用いて支払いをし、商人Ａへのその訪問の後、商人Ｂへ服のショッピングに行き、顧客は、以下に説明する、パーソナル化された商人の物理的場所スクリーン４００を提供する同一の支払いアプリケーションを用いることが出来る。図４を参照した方法１００は、実質的に、上述したように実行されえるが、ブロック１０８において、支払いアプリケーションプロバイダデバイスは、顧客デバイス３００に、ネットワークを介して、パーソナル化された商人の物理的場所スクリーン４００を提供する。
【００４５】
パーソナル化された商人の物理的場所スクリーン４００は、ブロック１０２で、商人によって、商人の物理的場所パーソナル化情報として、提供され、及び／あるいは選択された背景４０２を含む。パーソナル化された商人の物理的場所スクリーン４００は、また、ブロック１０２で、商人によって、商人の物理的場所パーソナル化情報として、提供され、及び／あるいは、選択され、図示された実施形態においては、商人Ｂと特定されている商人識別テキスト４００を含む。商人識別テキスト４０２のみが図示されているが、商人Ｂは、商人ロゴ、商標、アニメーション、及び／あるいは、当分野で知られている他の商人識別子を提供し、及び／あるいは、選択することが出来る。
【００４６】
パーソナル化された商人の物理的場所スクリーン４００は、また、ブロック１０２において、商人によって、商人の物理的場所パーソナル化情報として、提供され、及び／あるいは、選択されることが出来る、販売テキスト４０６ａ及び、複数の製品画像リンク４０６ｂ、４０６ｃ、４０６ｄ、４０６ｅ、４０６ｆ及び４０６ｇを含む、販売セクション４０６を含む。一例では、商人Ｂは、支払いアプリケーションを、商人Ｂが有している販売製品のためにパーソナル化させるために、販売テキスト４０６ａ及び、複数の製品画像リンク４０６ｂ〜ｇが提供されることが出来る。図示された実施形態においては、販売テキスト４０６ａは、商人Ｂが販売を行い、任意の製品画像リンク４０６ｂ〜ｇが、販売アイテムを見るために選択されることが出来ることをユーザに通信する。従って、製品画像リンク４０６ｂ〜ｇのそれぞれは、製品種類の画像を含み、顧客による製品画像リンクの選択は、顧客デバイスから支払いアプリケーションプロバイダデバイスに命令を送信し、販売されているその製品種類の製品のリスト、それらの製品の画像、それらの製品の説明文、及び／あるいは、当分野で知られており、ブロック１０２で商人によって提供される様々な他の製品情報を返送することが出来る。
【００４７】
パーソナル化された商人の物理的場所スクリーン４００は、また、ブロック１０２において、商人によって、商人の物理的場所パーソナル化情報として、提供され、及び／あるいは、選択され、図示された実施形態においては、顧客デバイスに関連付けられた顧客の被服の予算を含む、第１の顧客情報セクション４０８を含む。一例において、第１の顧客情報セクション４０８は、データベースから顧客の被服予算を取得し（例えば、支払いサービスプロバイダが、金融追跡アプリケーションプロバイダの顧客金融追跡アプリケーションデータベースから顧客被服予算を取得する）、利用可能なその予算内の金額を決定し、顧客の被服予算状態を図示するグラフィックと、予算内で払うことが出来る金額を顧客に通知するテキストとを提供する支払いアプリケーションプロバイダデバイスによって提供されることが出来る。
【００４８】
パーソナル化された商人の物理的場所スクリーン４００は、また、ブロック１０２で、商人によって、商人の物理的場所パーソナル化情報として、提供され、及び／あるいは、選択され、図示された実施形態においては、顧客デバイスと関連した顧客によって最近閲覧された（例えば、インターネットブラウザで、）複数のアイテムを含む、第２の顧客情報セクション４１０を含む。一例では、第２の顧客情報セクション４１０は、データベースから顧客の製品閲覧履歴を取得し（例えば、支払いサービスプロバイダは、インターネットブラウザデータベースからのインターネットブラウザを使って、顧客によって閲覧された複数の製品を取得する）、商人において利用可能な閲覧された被服製品のそれらのアイテムをフィルタリングし、第２の顧客情報セクション４１０のそれらの製品を提供する支払いアプリケーションプロバイダデバイスによって提供されることが出来る。図示された実施形態においては、第２の顧客情報セクション４１０は、顧客によって最近閲覧された被服製品について取得された製品画像リンクを含み、それらの画像リンクは、それらの製品について、より多くの情報を（例えば、価格、商人の物理的場所内のそれらの位置など）取得するために、顧客によって選択されることが出来る。
【００４９】
顧客情報の幾つかの例が提供されているが、顧客情報の他の種類は、パーソナル化された商人の物理的場所スクリーン４００上に提供されることが出来る。実施形態においては、商人及び／あるいは支払いアプリケーションプロバイダは、例えば、顧客の閲覧履歴を調べ（例えば、第２の顧客情報４１０に詳細に示されているように）、顧客に推薦するために、商人の物理的場所において利用可能な１以上の製品を決定するように構成された推薦エンジンを含むことが出来る。特定の例においては、閲覧履歴は、顧客は、最近、様々な商人によって提供される青色のジーンズを閲覧したことを示し、支払いアプリケーションが商人Ｂの商人の物理的場所において用いられることに応答して、パーソナル化された商人の物理的場所スクリーン４００は、顧客が閲覧したのと同一のスタイルで、顧客のサイズの、商人の物理的場所で利用可能な青色のジーンズの１以上のペアを推薦し、及び／あるいは、当分野において知られる様々な他の推薦特性を含む、顧客情報を含むことが出来る。他の例においては、推薦エンジンは、顧客のソーシャルメディアアカウント及び／あるいは、顧客の友人のソーシャルメディアアカウントを調べ、顧客が気に入りそうな製品を判断するように構成され、パーソナル化された商人の物理的場所スクリーン４００上で、顧客情報として、顧客に、商人の物理的場所において利用可能なそれらの製品の推薦をすることが出来る。
【００５０】
２つの異なる商人の物理的場所（例えば、レストラン商人と被服商人）にパーソナル化された支払いアプリケーションの例が提供されたが、本開示を有する当業者は、顧客が、商人の１以上の物理的場所において、その支払いアプリケーションを使うとき、支払いアプリケーションがその商人にカスタマイズされたユーザインタフェースを含むパーソナル化された商人の物理的場所スクリーンを提供するだろうように、支払いアプリケーションは、任意の商人にパーソナル化されることが出来ることを認識するだろう。従って、異なる商人の物理的場所における支払いアプリケーションを用いる顧客は、同一の支払いアプリケーション上で、互いに非常に異なる、パーソナル化された商人の物理的場所スクリーンが提示され得る。更に、商人の物理的場所パーソナル化情報の幾つかの例が提供され、それは、背景、色、テキスト、画像、アイコン、レイアウト、支払いサービスプロバイダによって収集された顧客情報、商人によって収集された顧客情報、第三者によって収集された顧客情報、リンク、画像リンク、ファイル及び更に多くのものを含むが、当業者は、商人の物理的場所情報は、アニメーション、ビデオ、オーディオ、推薦（例えば、購入履歴、ソーシャルネットワークプロファイル、金融履歴などに基づいた）、及び／あるいは、当分野で知られる、様々な他のアプリケーションフィーチャを含むことが出来ることを認識するだろう。
【００５１】
従って、複数の異なる商人の物理的場所の任意のものにパーソナル化された支払いアプリケーションを提供するシステム及び方法が説明され、それは、異なる商人に、支払いアプリケーションがそれらの商人にそれぞれにパーソナル化可能とする支払いアプリケーションの支払いアプリケーションプロバイダカスタム化情報を提供可能とする。顧客が、その商人の、商人の物理的場所におり、支払いアプリケーションを用いる場合、その支払いアプリケーションは、その商人のために「ブランド化」され、あるいは、その商人に関連した、特定の、異なるフィーチャを含むように、商人の物理的場所にパーソナル化され、 顧客に提示されることが出来る。そのようなシステム及び方法は、支払いアプリケーション機能が、単純な支払い提供から、製品ショッピング、製品マーケティング、製品推薦、製品オーダ、及び／あるいは、当分野で知られている、様々な他の有益な商人に特有の機能へと拡張されることを可能とする。本開示のシステム及び方法は、商人から、商人のウェブサイトを提供する負荷を取除き、顧客が、商人の物理的場所にいるとき、その商人に支払いアプリケーションをカスタマイズすることによって、顧客にシームレスな支払い経験を提供するために用いられることが出来る。
【００５２】
図５を参照すると、ここに説明した１以上の処理を実装するためのネットワークベースのシステム５００の実施形態が図示されている。示されているように、ネットワークベースのシステム５００は、望ましい実施形態に従って、様々な方法を実行するように動作する複数のサーバ及び／あるいはソフトウェアコンポーネントを含み、あるいは、実装することが出来る。例示的なサーバは、例えば、MICROSOFT（登録商標） OS、UNIX（登録商標） OS、LINUX（登録商標） OSあるいは、他の適切なサーバベースのOSなどのサーバOSを動作させるスタンドアロン及び企業クラスサーバを含むことが出来る。図５に図示したサーバは、他の方法で展開されることができ、そのようなサーバによって実行される動作及び／あるいは、提供されるサービスは、与えられた実装において、組み合わされたり、あるいは、分離されたりすることができ、より多くの、あるいは、より少ないサーバによって実行されることが出来ることが理解できる。１以上のサーバは、同一あるいは異なる団体によって動作され、及び／あるいは、維持されることが出来る。
【００５３】
図５に図示したネットワーク化されたシステム５００の実施形態は、ネットワーク５１０を介して通信する、複数の顧客デバイス５０２、複数の商人デバイス５０４、支払いサービスプロバイダデバイス５０６、アカウントプロバイダデバイス５０８、及び／あるいは、支払いアプリケーションプロバイダデバイス５０９を含む。顧客デバイス５０２の任意のものは、上述したように、顧客デバイス３００とすることが出来る。商人デバイス５０４の任意のものは、上述した商人デバイス２００とすることができ、上述した商人によって動作されることが出来る。支払いサービスプロバイダ５０６は、上述した支払いサービスプロバイダデバイスとすることができ、例えば、カリフォルニア州、サンホセのPayPal Inc.などの支払いサービスプロバイダによって動作されることが出来る。アカウントプロバイダデバイス５０８は、上記したアカウントプロバイダデバイスとすることが出来、例えば、クレジットカードアカウントプロバイダ、銀行口座プロバイダ、貯蓄口座プロバイダ、及び、当分野で知られている様々な他のアカウントプロバイダなどの上述したアカウントプロバイダによって動作されることが出来る。支払いアプリケーションプロバイダデバイス５０９は、上述した支払いアプリケーションプロバイダデバイスとすることができ、上述した支払いアプリケーションプロバイダによって動作されることが出来る。
【００５４】
顧客デバイス５０２、商人デバイス５０４、支払いサービスプロバイダデバイス５０６、アカウントプロバイダデバイス５０８、及び／あるいは、支払いアプリケーションプロバイダデバイス５０９は、それぞれ、１以上のプロセッサ、メモリ、及び、ここに説明した、様々なアプリケーション、データ、及びステップを実装するために、１以上のコンピュータ読み取り可能な媒体に格納されるプログラムコード及び／あるいは、データなどの命令を実行する他の適切なコンポーネントを含むことが出来る。例えば、そのような命令は、メモリあるいは、システム５００の様々なコンポーネントに内蔵された、及び／あるいは、外付けの、データ格納装置のような、及び／あるいは、ネットワーク５１０を介してアクセス可能な１以上のコンピュータ読み取り可能な媒体に格納されることが出来る。
【００５５】
ネットワーク５１０は、単一のネットワークあるいは、複数のネットワークの組み合わせとして、実装されることが出来る。例えば、様々な実施形態において、ネットワーク５１０は、インターネット、及び／あるいは、１以上のイントラネット、固定電話ネットワーク、無線ネットワーク及び／あるいは、ネットワークの他の適切な種類を含むことが出来る。
【００５６】
顧客デバイス５０２は、ネットワーク５１０を介して有線及び／あるいは無線通信を行うように構成されたハードウェア及び／あるいはソフトウェアの任意の適切な組み合わせを用いて実装されることが出来る。例えば、一実施形態において、顧客デバイス５０２は、インターネットと通信するユーザのパソコンとして実装されることが出来る。他の実施形態においては、顧客デバイス５０２は、スマートフォン、PDA（personal digital assistant）、ラップトップコンピュータ、及び／あるいは、他の種類のコンピューティングデバイスとすることが出来る。
【００５７】
顧客デバイス５０２は、例えば、顧客が、ネットワーク５１０を介して利用可能な情報を閲覧することを可能とする便利なインタフェースを提供するために用いられることができる、１以上のブラウザアプリケーションを含むことが出来る。例えば、一実施形態においては、ブラウザアプリケーションは、インターネットを介して利用可能な情報を見るように構成されたウェブブラウザとして実装されることが出来る。
【００５８】
顧客デバイス５０２は、また、例えば、顧客によって選択される動作に応答して、望ましいタスクを実行するユーザ側処理を提供するために用いられることができる１以上のツールバーアプリケーションを含むことが出来る。一実施形態においては、ツールバーアプリケーションは、ブラウザアプリケーションと接続したユーザインタフェースを表示することが出来る。
【００５９】
顧客デバイス５０２は、更に、顧客デバイス５０２に望ましいフィーチャを提供するために、特定の実施形態において望まれることが出来る、他のアプリケーションを含むことが出来る。特に、他のアプリケーションは、支払いサービスプロバイダデバイス５０６を介して支払いサービスプロバイダによってアシストされる支払いを促進するための、上述した支払いアプリケーションを含むことが出来る。他のアプリケーションは、また、ユーザ側セキュリティフィーチャ、ネットワーク５１０を介して適切なアプリケーションプログラミングインタフェース（API）をインタフェースするためのプログラマチックユーザアプリケーション、あるいは、他の種類のアプリケーションを実装するセキュリティアプリケーションを含むことが出来る。電子メール及び／あるいは、テキストアプリケーションも含まれることができ、ネットワーク５１０を介して、顧客が、電子メール及び／あるいは、テキストメッセージを送受信可能とする。顧客デバイス５０２は、例えば、オペレーティングシステムレジストリエントリ、ブラウザアプリケーションに関連したクッキー、顧客デバイス５０２のハードウェアに関連した識別子、あるいは、電話番号などの他の適切な識別子として、実装されることが出来る、１以上のユーザ及び／あるいはデバイス識別子を含む。一実施形態においては、ユーザ識別子は、ここに更に説明するように、顧客を特定のアカウントに関連付けるために、支払いサービスプロバイダデバイス５０６及び／あるいは、アカウントプロバイダデバイス５０８によって用いられることが出来る。
【００６０】
商人デバイス５０４は、例えば、従来の、あるいは、オンラインの商人、従来の、あるいは、デジタル商品販売者、個人販売者、及び／あるいは、従来の仕方で、あるいは、ネットワーク５１０を介して受け取られる支払いと交換に、様々な製品及び／あるいはサービスを提供するアプリケーション開発者によって、維持されることが出来る。この点では、商人デバイス５０４は、顧客が見て、購入するために利用可能とされる利用可能な製品及び／あるいはサービス（例えば、全体としてアイテムと呼ぶ）を特定するデータベースを含むことが出来る。
【００６１】
商人デバイス５０４は、また、アイテムの支払い者による支払いを促進するように構成されるチェックアウトアプリケーションを含む。チェックアウトアプリケーションは、顧客デバイス５０２、アカウントプロバイダデバイス５０８を介してアカウントプロバイダから、及び／あるいは、ネットワーク５１０を介して、支払いサービスプロバイダデバイス５０６によって支払いサービスプロバイダから、支払い情報を受け取るように構成されることが出来る。
【００６２】
図６を参照すると、顧客デバイス６００の実施形態が図示される。顧客デバイス６００は、顧客デバイス３００及び／あるいは５０２の任意のものとすることが出来る。顧客デバイス６００は、ディスプレイ６０４を有するシャーシ６０２及び、ディスプレイ６０４を含む入力デバイス及び複数の入力ボタン６０６を含む。当業者は、顧客デバイス６００が、方法１００を参照して上述した機能を可能とするタッチスクリーン入力デバイス及び複数の入力ボタンを含む携帯あるいはモバイルフォンであることを認識するだろう。しかし、他の携帯／モバイル顧客デバイス及び／あるいはデスクトップ顧客デバイスの様々なものは、本開示の範囲を離れることなく、方法１００において用いられることが出来る。
【００６３】
図７を参照すると、例えば、顧客デバイス３００、５０２、あるいは６００、商人デバイス２００あるいは５０４、支払いサービスプロバイダデバイス５０６、アカウントプロバイダデバイス５０８、及び／あるいは、支払いアプリケーションプロバイダデバイス５０９を実装するのに適したコンピュータシステム７００の実施形態が図示されている。顧客、商人、支払いサービスプロバイダ、アカウントプロバイダ、及び／あるいは、上述した支払いアプリケーションパーソナル化システムの支払いアプリケーションプロバイダによって利用される他のデバイスは、以下のように、コンピュータシステム７００として実装されることが出来ることは理解されるべきである。
【００６４】
本開示の様々な実施形態によると、コンピュータ及び／あるいは、ネットワークサーバなどのコンピュータシステム７００は、処理コンポーネント７０４（例えば、プロセッサ、マイクロコントローラ、デジタル信号プロセッサ（DSP）など）、システムメモリコンポーネント７０６（例えば、RAM）、静的格納コンポーネント７０８（例えば、ROM）、ディスクドライブコンポーネント７１０（例えば、磁気あるいは光）、ネットワークインタフェースコンポーネント７１２（例えば、モデムあるいはイーサネットカード）、ディスプレイコンポーネント７１４（例えば、CRTあるいはLCD）、入力コンポーネント７１８（例えば、キーボード、キーパッド、あるいは、仮想キーボード）、カーソル制御コンポーネント７２０（例えば、マウス、ポインタ、あるいは、トラックボール）、及び／あるいは位置決定コンポーネント７２２（例えば、図示されているようにGPS（Global Positioning System）デバイス、携帯電話基地局三角測量（cell tower triangulation）デバイス、及び／あるいは、当分野で知られている、様々な他の位置決定デバイス）などの、サブシステム及びコンポーネントを相互接続する、情報を通信する、バス７０２あるいは、他の通信機構を含む。一実装においては、ディスクドライブコンポーネント７１０は、１以上のディスクドライブコンポーネントを有するデータベースを含むことが出来る。
【００６５】
本開示の実施形態によると、コンピュータシステム７００は、顧客デバイス３００、５０２及び６００、商人デバイス３００及び５０４、支払いサービスプロバイダデバイス５０６、アカウントプロバイダデバイス５０８、及び／あるいは、支払いアプリケーションプロバイダデバイス５０９について、ここに説明したような、メモリコンポーネント７０６に含まれる命令の１以上のシーケンスを実行するプロセッサ７０４による特定の動作を実行する。そのような命令は、静的格納コンポーネント７０８あるいは、ディスクドライブコンポーネント７１０などの他のコンピュータ読み取り可能な媒体からシステムメモリコンポーネント７０６に読み込まれることが出来る。他の実施形態においては、ハードワイヤード回路は、本開示を実装するために、ソフトウェア命令の代わりに、あるいは、と組み合わせて用いられることが出来る。
【００６６】
ロジックは、実行のために、プロセッサ７０４に命令を提供することに参加する任意の媒体を示す、コンピュータ読み取り可能な媒体に符号化されることが出来る。そのような媒体は、これらには限定されないが、不揮発性媒体、揮発性媒体、及び伝送媒体を含む多くの形態を取ることが出来る。一実施形態においては、コンピュータ読み取り可能な媒体は、非一時的である。様々な実装において、不揮発性媒体は、ディスクドライブコンポーネント７１０などの光あるいは磁気ディスクを含み、揮発性媒体は、システムメモリコンポーネント７０６などのダイナミックメモリを含み、伝送媒体は、バス７０２を含むワイヤを含む、同軸ケーブル、銅線、及び、光ファイバを含む。一例では、伝送媒体は、無線及び赤外データ通信中に生成されるもののような、音響あるいは光波の形態を取ることが出来る。
【００６７】
コンピュータ読み取り可能な媒体のある良くある形態は、例えば、フロッピーディスク、フレキシブルディスク、ハードディスク、磁気テープ、任意の他の磁気媒体、CD-ROM、任意の他の光媒体、パンチカード、紙テープ、穴のパターンを有する任意の他の物理媒体、RAM,PROM、EPROM、FLASH-ERPOM、任意の他のメモリチップあるいはカートリッジ、搬送波、あるいは、コンピュータが読取るように適用された任意の他の媒体を含む。一実施形態においては、コンピュータ読み取り可能な媒体は、非一時的である。
【００６８】
本開示の様々な実施形態においては、本開示を実施するための命令列の実行は、コンピュータシステム７００によって実行されることが出来る。本開示の様々な他の実施形態においては、ネットワーク５１０（例えば、LAN、WLAN、PTSN、及び／あるいは、遠隔通信、モバイル、及びセルラフォンネットワークを含む様々な他の有線あるいは無線ネットワーク）に、通信リンク７２４によって結合される複数のコンピュータシステム７００は、相互のコーディネートにより、本開示を実施するために、命令シーケンスを実行することが出来る。
【００６９】
コンピュータシステム７００は、通信リンク７２４及びネットワークインタフェースコンポーネント７１２によって、１以上のプログラム（つまり、アプリケーションコード）を含む、メッセージ、データ、情報及び命令を送受信することが出来る。ネットワーックインタフェースコンポーネント７１２は、通信リンク７２４を介して、送受信可能とするために、分離されているか、あるいは、一体化されている、アンテナを含むことが出来る。受信されたプログラムコードは、実行のために、ディスクドライブコンポーネント７１０あるいは、ある、他の不揮発性格納コンポーネントに受信され、及び／あるいは、格納されて、プロセッサ７０４によって実行されることが出来る。
【００７０】
図８を参照すると、支払いアプリケーション／サービスプロバイダデバイス８００の実施形態が図示されている。実施形態においては、デバイス８００は、支払いサービスプロバイダデバイス５０６及び／あるいは、支払いアプリケーションプロバイダデバイス５０９とすることが出来る。デバイス８００は、ネットワーク５１０に結合され、複数の顧客に関する顧客情報を含む顧客データベース８０６と、複数の商人に関連する商人情報を含む商人データベース８０８とに結合される支払いアプリケーションパーソナル化エンジン８０４に結合される、通信エンジン８０２を含む。通信エンジン８０２は、デバイス８００に、ネットワーク５１０を介して情報を送受信することを可能とする、コンピュータ読み取り可能な媒体に格納されるソフトウェアあるいは命令とすることが出来る。支払いアプリケーションパーソナル化エンジン８０４は、商人デバイスから商人の物理的場所パーソナル化情報を受信し、商人と商人の物理的場所に関連した、商人データベース８０８内の商人の物理的場所パーソナル化情報を格納し、顧客デバイスから顧客場所を受信し、顧客場所に関連した商人の物理的場所を決定し、顧客デバイス上の支払いアプリケーション上のユーザインタフェースとして、商人の物理的場所パーソナル化情報を提供し、製品及びサービスの推薦を決定し、顧客及び商人の間の支払い活動を実行し、上述した任意の他の機能を提供するように動作する、コンピュータ読み取り可能な媒体上に格納されたソフトウェアあるいは命令とすることが出来る。データベース８０６及び８０８は、デバイス８００に配置されたとして、図示されているが、当業者は、本開示の範囲を離れることなく、ネットワーク５１０を介して、支払いアプリケーションパーソナル化エンジン８０４に接続されることが出来ることを認識するだろう。
【００７１】
適用できる場合には、本開示によって提供される様々な実施形態は、ハードウェア、ソフトウェア、あるいは、ハードウェア及びソフトウェアの組み合わせを用いて、実装されることが出来る。また、適用できる場合には、ここに述べた様々なハードウェアコンポーネント及び／あるいはソフトウェアコンポーネントは、本開示の範囲を離れることなく、ソフトウェア、ハードウェア及び／あるいは、その両方を含む複合コンポーネントに組み合わせられることが出来る。適用できる場合には、ここに述べた様々なハードウェアコンポーネント及び／あるいはソフトウェエアコンポーネントは、本開示の範囲を離れることなく、ソフトウェア、ハードウェア、あるいは、その両方を含むサブコンポーネントに分離されることが出来る。更に、適用できる場合には、ソフトウェアコンポーネントは、ハードウェアコンポーネントとして実装されることができ、逆も可能であることが考えられる。
【００７２】
本開示による、プログラムコード及び／あるいは、データなどのソフトウェアは、１以上のコンピュータ読み取り可能な媒体上に格納されることが出来る。ここに特定されたソフトウェアは、１以上の汎用あるいは専用コンピュータ、及び／あるいは、ネットワーク化された、及び／あるいは、その他のコンピュータシステムを用いて実装されることが出来る。適用できる場合には、ここに説明した様々なステップの順番は、変更され、複合ステップに組み合わされ、及び／あるいは、サブステップに分離されて、ここに説明したフィーチャを提供することが出来る。
【００７３】
以上の開示は、開示された詳細な形態、あるいは、特定の使用分野に本開示を限定することを意図しない。このように、明示されているか、暗に示されているかによらず、様々な別の実施形態、及び／あるいは、本開示への変更が本開示の理解の下に可能であることが考えられる。例えば、上記実施形態は、商人と顧客に焦点を当てたが、顧客あるいは消費者は、チャリティ及び個人を含む任意の種類の受取人に支払い、あるいは、と相互作用することが出来る。支払いは、購入を含む必要はなく、ローン、チャリティの寄付、贈り物などであっても良い。従って、ここに用いられるように、商人は、また、チャリティ、個人、及び、顧客から支払いを受ける、任意の他の団体あるいは人を含むことが出来る。本開示の実施形態を説明してきたが、当業者は、本開示の範囲を外れることなく、形態や詳細に変更を加えることが出来ることを認識するだろう。従って、本開示は、請求項によってのみ限定される。

【図２】
2016529621.tif 000003
【図３ａ】
2016529621.tif 000004
【図３ｂ】
2016529621.tif 000005
【図３ｃ】
2016529621.tif 000006
【図３ｄ】
2016529621.tif 000007
【図４】
2016529621.tif 000008
【図６】
2016529621.tif 000009
【図１】
2016529621.tif 000010
【図５】
2016529621.tif 000011
【図７】
2016529621.tif 000012
【図８】
2016529621.tif 000013
【国際調査報告】
2016529621.tif 000014